(57)【特許請求の範囲】
【請求項１】
案内ガイド（７０）同士の間に設置し、上側の流速案内部（３２）の先端にブレード案内部（３３）を形成する流速案内下部ガイド（３０）と、前記流速案内下部ガイド（３０）にタービン軸（１１）で設置し、外周部に一定の間隔で形成されるブレード溝（１２）の内側にはブレード（２０）の補強部（２３）が２面で結合する剛性補強溝（１３）を設置し、前記ブレード溝（１２）に固定軸（２１）が貫通するように配置するタービン（１０）と、前記ブレード溝（１２）内でタービン（１０）を貫通する固定軸（２１）に連結し、流速によって展開されながらタービン（１０）を回転させるブレード（２０）と、前記流速案内下部ガイド（３０）の上側で案内ガイド（７０）同士の間に設置し、タービン（１０）の外周部からブレード（２０）が展開されながら移動する発電案内部（４１）を有する流速案内上部ガイド（４０）とからなる満ち潮発電装置（１００）と；
案内ガイド（７０ａ）同士の間に設置し、下側の流速案内部（３２ａ）の先端にブレード案内部（３３ａ）を形成する流速案内上部ガイド（３０ａ）と、前記流速案内上部ガイド（３０ａ）にタービン軸（１１）で設置し、外周部に一定の間隔で形成されるブレード溝（１２）の内側にはブレード（２０）の補強部（２３）が２面で結合する剛性補強溝（１３）を設置し、前記ブレード溝（１２）に固定軸（２１）が貫通するように配置するタービン（１０）と、前記ブレード溝（１２）内でタービン（１０）を貫通する固定軸（２１）に連結し、流速によって展開されながらタービン（１０）を回転させるブレード（２０）と、前記流速案内上部ガイド（３０ａ）の下側で案内ガイド（７０ａ）同士の間に設置し、タービン（１０）の外周部からブレード（２０）が展開されながら移動する発電案内部（４１ａ）を有する流速案内下部ガイド（４０ａ）とからなる引き潮発電装置（２００）と；を含んでなる、海水の満ち潮と引き潮を利用した水力発電装置において、
前記流速案内下部ガイド（３０）は、下側が流線型になっているガイド下部案内部（３１）からなり、前方上側に形成した流速案内部（３２）の先端にはタービン（１０）を設置するブレード案内部（３３）が設置され、前記ブレード案内部（３３）の先端には水平に排水空間（４５）を形成する下部排水部（３４）が設置され、
前記ブレード（２０）は、固定軸（２１）が貫通し、両側でブッシング（２２）によって回転可能に連結され、外側先端がブレード溝（１２）から突出し、剛性補強溝（１３）と２面で結合する補強部（２３）を有することを特徴とする、海水の満ち潮と引き潮を利用した水力発電装置。
【請求項２】
前記案内ガイド（７０、７０ａ）には、排水空間（４５、４５ａ）の先端に設置した開放ドア（７１、７１ａ）をドア軸（７２、７２ａ）で開閉可能に連結することを特徴とする、請求項１に記載の海水の満ち潮と引き潮を利用した水力発電装置。
【請求項３】
前記タービン（１０）は、ブレード（２０）が折り畳まれるようにするためにブレード案内部（３３、３３ａ）との間隔は狭く、ブレードが流速で展開されるようにするために発電案内部（４１、４１ａ）との間隔は広く形成されるように配置され、両側の固定ブッシング（１５）と結合して案内ガイド（７０）同士の間で回転可能に設置されることを特徴とする、請求項１に記載の海水の満ち潮と引き潮を利用した水力発電装置。
【請求項４】
前記流速案内上部ガイド（４０）は、タービン（１０）の外側の周りに形成した発電案内部（４１）の先端から、排水空間（４５）を形成する上部排水部（４２）が水平に形成され、上側には流線型のガイド上部案内部（４３）が形成されることを特徴とする、請求項１に記載の海水の満ち潮と引き潮を利用した水力発電装置。
【請求項５】
前記流速案内上部ガイド（４０）と流速案内下部ガイド（４０ａ）は、前方にゲート回転軸（５４、５４ａ）で角度が調節され、タービン（１０）へ供給される海水の供給量を制御する調節ゲート（５０、５０ａ）をさらに設置することを特徴とする、請求項１に記載の海水の満ち潮と引き潮を利用した水力発電装置。
【請求項６】
前記調節ゲート（５０、５０ａ）は、前方でゲート軸（５１、５１ａ）と連結されるシリンダー軸（５３、５３ａ）がゲート調節シリンダー（５２、５２ａ）を介してタービン軸（１１）に連結されて角度が調節されるように設置することを特徴とする、請求項５に記載の海水の満ち潮と引き潮を利用した水力発電装置。
【請求項７】
前記流速案内上部ガイド（３０ａ）は、上側が流線型になっているガイド上部案内部（３１ａ）からなり、前方下側に形成した流速案内部（３２ａ）の先端にはタービン（１０）を設置するブレード案内部（３３ａ）が設置され、前記ブレード案内部（３３ａ）の先端には水平に排水空間（４５ａ）を形成する上部排水部（３４ａ）が設置されることを特徴とする、請求項１に記載の海水の満ち潮と引き潮を利用した水力発電装置。
【請求項８】
前記流速案内下部ガイド（４０ａ）は、タービン（１０）の外側の周りに形成した発電案内部（４１ａ）の先端には排水空間（４５ａ）を形成する下部排水部（４２ａ）が水平に設けられ、下側には流線型のガイド下部案内部（４３ａ）が形成されることを特徴とする、請求項１に記載の海水の満ち潮と引き潮を利用した水力発電装置。
【請求項９】
前記案内ガイド（７０、７０ａ）は、それらの間に流速案内上、下部ガイド（３０、３０ａ）と流速案内上、下部ガイド（４０、４０ａ）が設置され、タービン（１０）の両側に突出したタービンカバー（１６）が回転可能に結合し、タービン軸（１１）が貫通して回転するように設置されることを特徴とする、請求項１に記載の海水の満ち潮と引き潮を利用した水力発電装置。
【請求項１０】
前記発電案内部（４１、４１ａ）は、タービン（１０）の外周部から一定の間隔を有し、ブレード（２０）が展開された状態で移動しながら発電案内部（４１、４１ａ）とブレード（２０）の先端との間に一定の間隔で速度水頭を作ってタービン（１０）に回転力を与え、発電案内部（４１、４１ａ）の内部空間で各ブレード（２０）に同じ流量と圧力を発生させるように設置することを特徴とする、請求項１に記載の海水の満ち潮と引き潮を利用した水力発電装置。
【請求項１１】
前記タービン（１０）は、両側にタービンカバー（１６）を結合し、ブレード（２０）を貫通する固定軸（２１）を前記タービンカバー（１６）に結合した後、ブレード（２０）にある固定軸（２１）に遊動ブッシング（２２）を結合し、タービンカバー（１６）にある固定軸（２１）に固定ブッシング（１５）を結合することを特徴とする、請求項１に記載の海水の満ち潮と引き潮を利用した水力発電装置。
【請求項１２】
前記満ち潮発電装置（１００）と引き潮発電装置（２００）は、浮標（８０、８０ａ）の両側に形成された浮標連結具（８１、８１ａ）に浮標連結棒（８２、８２ａ）を連結し、前記浮標連結棒（８２、８２ａ）を上部連結具（８３、８３ａ）と下部連結具（８４、８４ａ）に連結して、海水に浮標（８０、８０ａ）が浮いている状態で設置することを特徴とする、請求項１に記載の海水の満ち潮と引き潮を利用した水力発電装置。
【請求項１３】
前記満ち潮発電装置（１００）は、高さ調節ガイド（６１、６２）に下部連結軸（３５、３５ａ）で連結されているコンクリートベース（６０）と当接して海底に設置し、或いは下側に海水が流れるようにコンクリートベースから浮かせるために高さを調節することを特徴とする、請求項１に記載の海水の満ち潮と引き潮を利用した水力発電装置。
【発明の詳細な説明】
【技術分野】
【０００１】
本発明は、海水の満ち潮と引き潮を利用した水力発電装置に関し、さらに詳しくは、速い速度で流れる海流を利用し、持続的に発生する潮の干満の差による満ち潮と引き潮によって、海水中に潜水するように設置した状態で満ち潮と引き潮の際に同一方向に持続的に回転して電力を持続的に生産し、流入する海水の量を調節することにより、環境にやさしいエネルギーを活用することができ、様々な場所に設置することができるうえ、必要に応じて大きさを小型化、大型化および多様化することができるようにする、海水の満ち潮と引き潮を利用した水力発電装置に関する。
【背景技術】
【０００２】
本発明は、海洋エネルギー資源の中でも潮流発電に関するものである。自然エネルギー資源のうち、実用化が進んでいる一つの発電方式である潮流発電は、潮流の流速が速いところに水車発電機を設置して潮流の運動エネルギーから電気を生産する発電方式である。潮流を利用した潮流発電は、広い意味での海流発電に含まれ（以下、「潮流発電」または「潮流」を「海流発電」または「海流」と称することもある）、水車発電機の種類によってヘリカル（Ｈｅｌｉｃａｌ）式、ＨＡＴ（Ｈｏｒｉｚｏｎｔａｌ  Ａｘｉｓ  Ｔｕｒｂｉｎｅ）式、ＶＡＴ（Ｖｅｒｔｉｃａｌ  Ａｘｉｓ  Ｔｕｒｂｉｎｅ）式に区分され、水車発電機の設置方法によって浮体式、着床式に区分される。
【０００３】
潮力発電は、人工的に防潮堤（潮溜まり池）を作り、防潮堤の内側と外側の海水の落差を利用して発電するが、海流発電は、一般に、自然に流れる海流の要所に水車発電機を設置して発電する。
【０００４】
海流発電は、風力発電とは原理が似ているが、風の代わりに持続的に流れる海流を利用してタービンを回転させるという点が異なる。ただし、海流発電の電力／面積密度は海洋風力発電のそれよりも約４倍程度さらに大きい。これは、海水の密度が空気の密度に比べて約８４０倍程度大きいためであり、同じ施設容量の場合には風力発電機に比べて海流発電機の大きさが遥かに小さい。
【０００５】
海流発電から得られる発電出力は、水車発電機の効率と海水通過断面積に比例し、海流速度の３乗に比例するので、高い流速は海流発電に絶対的に有利である。
【０００６】
潮力および海流エネルギーは、月と太陽と地球との間の万有引力に起因するエネルギーであって、太陽系が存続する限り持続する無限のクリーンエネルギーであり、潮汐の周期性により気象や季節の影響を受けず、発電出力の長期的な予測が可能であり、一定時間持続的な電力供給が可能であり、電力網内の接続が容易であるという利点がある。反面、発電が断続的であり、発電敷地が陸地から遠く離れている場合には送電線路の構築などによる初期投資額が多いという欠点がある。
【０００７】
これまで海流発電を行うためには、島と周囲の陸地との間の狭い海峡などにおいて潮流の速い地域、すなわち、典型的に大潮期であるときの平均速度が２ｍ／ｓ以上のところでの適用可能性が検討された。しかし、潮力発電は既に実用化されているのに対し、海流発電は世界的に本格的な大規模発電が珍しいのが実情である。これは、海流発電が可能なほど速い海水の流れが現れる自然的な海域が世界的に非常に限られており、水車発電機を設置すべき適切な場所を見つけるのが容易ではなかったためである。それだけでなく、海水の平均速度が十分である場合でも、海流発電所が設置される地域の海底地形条件によって海水の速度分布が不均一であり、海水の流れ方向が一定でない場合には水車発電機の構造的安全性の確保および信頼性のある発電量調節が難しいという欠点がある。
【０００８】
一般に、自然状態の海流発電所の場合は、海流の平均速度が２〜２．５ｍ／ｓであり、しばしば流れの方向が変わり、地形の影響を多く受ける。しかし、潮力発電所から得られる海流は、自然状態の海流条件よりもさらに均一で利用価値の高い運動エネルギーを含む。実際、韓国内の単流式漲潮式の始華湖潮力発電所は、漲潮時の６ｍの落差で発電するとき、水車発電機を通過した後で湖に捨てられる放出水の平均速度は３ｍ／ｓ以上であり、落潮時の１．９ｍの落差で放流するとき、水門を介して放流される海水の平均速度は６．０ｍ／ｓ以上であることが確認された。
【０００９】
しかし、上述した様々な条件を満足させて正常な水力発電が行われるようにすることは、多くの困難があるため、現場にあまり適用されていないのが実情であるが、様々な潮の干満の差がある各種場所で便利に適用することができるようにするための研究が行われている時点で必ず必要とされるものである。
【先行技術文献】
【特許文献】
【００１０】
【特許文献１】韓国登録特許第０５０１５４３号公報
【特許文献２】韓国公開特許第２００９−００１０５３５号公報
【特許文献３】韓国公開特許第２００９−００３２４４０号公報
【特許文献４】韓国公開特許第２０１０−０１３３０４３号公報
【発明の概要】
【発明が解決しようとする課題】
【００１１】
そこで、本発明は、かかる従来の欠点を解消するためになされたもので、その目的は、速い速度で流れる海流を利用し、持続的に発生する潮の干満の差による満ち潮と引き潮によって、海水中に潜水させた状態でタービンを回転させるようにすることにより、潮溜まり池が必要ない、環境にやさしいエネルギーを活用した水力発電装置を提供することにある。
【００１２】
本発明の他の目的は、海底または海底から一定の高さで突出した位置に様々な個数、大きさおよび幅で設置されるようにすることにある。
【００１３】
本発明の別の目的は、海水の量を調節して、タービンおよびブレードに加わる流束および圧力を調節することにより、角速度を高めて回転エネルギーを極大化させることで高効率の発電が行われるようにすることにある。
【００１４】
本発明の別の目的は、流束とタービンおよびブレードの移動方向が一致して高い効率を得、高効率の発電が行われるようにすることにある。
【００１５】
本発明の別の目的は、タービンのブレード数および半径を調節して同じ流束で角速度を高めることで高効率の発電が行われるようにすることにある。
【００１６】
本発明の別の目的は、ブレードの先端と発電案内部との間に一定の間隔による速度水頭を作り、複数のブレードに同じ圧力を発生させて回転軸にブレード数に相応する回転力を発生させることで、高効率の発電が行われるようにすることにある。
【００１７】
本発明の別の目的は、タービンの出口に関するもので、排水空間から放出される海水の流束および水圧がタービン外側の流束および水圧と同じかそれより大きくなるようにして、流量が容易にタービンから放出されるようにすることにより、高効率の発電が行われるようにすることにある。
【課題を解決するための手段】
【００１８】
本発明は、案内ガイド同士の間に設置し、上側の流速案内部の先端にブレード案内部を形成する流速案内下部ガイドと、前記流速案内下部ガイドにタービン軸で設置し、外周部に一定の間隔で形成されるブレード溝の内側にはブレードの補強部が２面で結合する剛性補強溝を設置し、前記ブレード溝に固定軸が貫通するように配置するタービンと、前記ブレード溝内でタービンを貫通する固定軸に連結し、流速によって展開されながらタービンを回転させるブレードと、前記流速案内下部ガイドの上側で案内ガイド同士の間に設置し、タービンの外周部からブレードが展開されながら移動する発電案内部を有する案内上部ガイドとからなる満ち潮発電装置と；案内ガイド同士の間に設置し、下側の流速案内部の先端にブレード案内部を形成する流速案内上部ガイドと、前記流速案内上部ガイドにタービン軸で設置し、外周部に一定の間隔で形成されるブレード溝の内側にはブレードの補強部が２面で結合する剛性補強溝を設置し、前記ブレード溝に固定軸が貫通するように配置するタービンと、前記ブレード溝内でタービンを貫通する固定軸に連結し、流速によって展開されながらタービンを回転させるブレードと、前記流速案内上部ガイドの下側で案内ガイド同士の間に設置し、タービンの外周部からブレードが展開されながら移動する発電案内部を有する流速案内下部ガイドとからなる引き潮発電装置；とを含んでなる、海水の満ち潮と引き潮を利用した水力発電装置において、
前記流速案内下部ガイドは、下側が流線型になっているガイド下部案内部からなり、前方上側に形成した流速案内部の先端にはタービンを設置するブレード案内部が設置され、前記ブレード案内部の先端には水平に排水空間を形成する下部排水部が設置され、
前記ブレードは、固定軸が貫通し、両側でブッシングによって回転可能に連結され、外側先端がブレード溝から突出し、剛性補強溝と２面で結合する補強部を有することを特徴とする。
【発明の効果】
【００１９】
本発明は、速い速度で流れる海流を利用し、持続的に発生する潮の干満の差による満ち潮と引き潮によって、海水に潜水させた状態で常にタービンを回転させるようにすることにより、潮溜まり池が必要ない、環境にやさしいエネルギーを活用した持続的な発電を行うことができ、一般潮力発電方式よりも非常に効率的な水力発電が行うことができるという効果を提供する。
【００２０】
本発明は、海底または海底から一定の高さで突出した位置に設置されるので、海流のエネルギーを効果的に利用し、様々な個数、大きさおよび幅で設置されて効率の高い発電が行われるようにする効果を提供する。
【００２１】
本発明は、調節ゲートを用いて海水の流束および量を調節して発電に必要な海水の量を供給し、回転するタービンにおけるブレードが流束によって展開されたり折り畳まれたりして、流速によってブレードに作用する荷重を十分に維持する剛性補強効果、および効率の良い発電が行われるようにする効果を提供する。
【００２２】
本発明は、調節ゲートの角度調節によって海水の量を調節して、タービンおよびブレードに加わる流速および圧力を調節することにより、タービンの角速度を高めて回転エネルギーを極大化させることで高効率の発電が行われるようにする効果を提供する。
本発明は、海で海水の流速の方向とタービンおよびブレードの移動方向が一致して高い効率を得、高効率の発電が行われるようにする効果を提供する。
【００２３】
本発明は、タービンのブレード数および半径を調節して同じ流速で角速度を高めることで高効率の発電が行われるようにする効果を提供する。
【００２４】
本発明は、ブレードの先端と発電案内部との間で一定の間隔で空隙による速度水頭を作り、複数のブレードに同じ圧力を発生させて、回転するタービンの回転軸にブレード数に相応する回転力を発生させることで高効率の発電が行われるようにする効果を提供する。
【００２５】
本発明は、タービンの出口に関するもので、排水空間から放出される海水の流速および水圧が、タービンの外側の流速案内下部ガイドと流速案内上部ガイドから発生する流速および水圧と同じかそれより大きくなるようにして、流量が容易にタービンから放出されるようにすることにより、高効率の発電が行われるようにする効果を提供する。
【図面の簡単な説明】
【００２６】
【図１】本発明の好適な実施形態を示す設置状態の斜視図である。
【図２】本発明の満ち潮と引き潮に適用する設置状態の平面図である。
【図３】本発明の満ち潮と引き潮に適用する設置状態の側面図である。
【図４】本発明の満ち潮発電装置の正面断面図である。
【図５】本発明の引き潮発電装置の正面断面図である。
【図６】本発明の主要部分に対する設置状態の拡大断面図である。
【図７】本発明のブレードがないタービンの正面図である。
【図８】本発明のブレードが折り畳まれた状態の要部拡大正面図である。
【図９】本発明のブレードが展開された状態の要部拡大正面図である。
【図１０】本発明のタービンとブレードに対する結合状態の側面断面図である。
【図１１】本発明のタービンとブレードに対する結合状態の斜視図である。
【図１２】本発明の満ち潮発電装置を浮標に適用した状態を示す正面図である。
【図１３】本発明の引き潮発電装置を浮標に適用した状態を示す正面図である。
【図１４】本発明の満ち潮と引き潮発電装置を浮標に適用した状態を示す側面図である。
【図１５】本発明の満ち潮発電装置を海底に設置した状態を示す正面図である。
【図１６】本発明の引き潮発電装置を海底に設置した状態を示す正面図である。
【図１７】本発明の満ち潮発電装置を海底に設置した状態を示す他の実施形態の正面図である。
【発明を実施するための形態】
【００２７】
以下、本発明の好適な実施形態を添付図面に基づいて詳細に説明する。
【００２８】
図１は本発明の好適な実施形態を示す設置状態の斜視図、図２は本発明の満ち潮と引き潮に適用する設置状態の平面図、図３は本発明の満ち潮と引き潮に適用する設置状態の側面図、図４は本発明の満ち潮発電装置の正面断面図、図５は本発明の引き潮発電装置の正面断面図、図６は本発明の主要部分に対する設置状態の拡大断面図である。
【００２９】
海水の満ち潮発生時に発電する満ち潮発電装置１００と、海水の引き潮発生時に発電する引き潮発電装置２００とがそれぞれ連続して設置されるか或いは交互に設置されて海水中に潜水するようにする。
【００３０】
前記満ち潮発電装置１００は、両側にブレード２０の幅を決定するように設置する案内ガイド７０同士の間には、流速案内下部ガイド３０と流速案内上部ガイド４０を固定ボルト７３で両側から固定する。
【００３１】
前記流速案内下部ガイド３０の中央上側には、回転しながら水によって自然に展開されたり折り畳まれたりするブレード２０を外周部に一定の間隔で複数個設置したタービン１０を、タービン軸１１によって回転するように設置する。
【００３２】
前記タービン１０は、両側の固定ブッシング１５と一体型に固定され、案内ガイド７０の内部に回転可能に結合する。
【００３３】
前記流速案内上部ガイド４０の前方には、タービン１０に流入する満ち潮の海水の量および流速を制御する調節ゲート５０を設置する。
【００３４】
前記流速案内下部ガイド３０は、下側が流線型になっているガイド下部案内部３１を形成して下側に海水の流れが正常になされるようにする。前記流速案内下部ガイドの上側前方には、流速案内部３２が流線型に形成され、前記流速案内部３２の右側先端には、タービン１０が回転してブレード２０が折り畳まれるように弧状にブレード案内部３３が形成された後、前記ブレード案内部３３の右側先端には、排水空間４５が形成されるように、水平状態または出口側に行くほど広くなる形態の下部排水部３４が形成される。
【００３５】
前記排水空間４５は、タービン１０と発電案内部４１との間隔と同じかそれよりさらに広く形成し、放出される海水の流速および水圧が外部の流速および水圧と同じかそれより大きくなるようにして、流量が容易に放出されるようにする。
【００３６】
前記流速案内上部ガイド４０は、前方に調節ゲート５０がゲート回転軸５４で連結され、下側に海水が流入してブレード２０を回転させる発電案内部４１を弧状に形成し、前記発電案内部４１の右側先端には、排水空間４５が形成されるように水平状態の上部排水部４２を形成し、前記調節ゲート５０の右側先端から上側へ流線型のガイド上部案内部４３を形成して海水の流れが正常になされるようにする。
【００３７】
調節ゲート５０は、ゲート軸５１が連結されるシリンダー軸５３が突出したゲート調節シリンダー５２をタービン軸１１に連結して調節ゲート５０の開閉角度を調節することにより、タービン１０へ供給される海水の量を調節することができるようにする。
【００３８】
前記タービン軸１１には減速機または発電装置を連結することにより、タービン１０の回転力の提供を受けて発電が行われるようにする。
【００３９】
前記タービン１０、流速案内下部ガイド３０および流速案内上部ガイド４０は、河川の幅に応じて複数個を設置することができ、海水の満ち潮の流れ方向に沿って連続して設置することが可能であり、海水中に潜水するように設置することが好ましい。
【００４０】
前記案内ガイド７０の右側先端である後方排水空間４５の先端には、排水空間４５を開閉させる開放ドア７１をドア軸７２で回転に設置することにより、流入する海水の流速で自然開放され、流速が発生しなければ自重で閉じられるようにする。
【００４１】
前記引き潮発電装置２００は、タービン軸１１が一方向に回転するように満ち潮発電装置１００に対して１８０°回転させた状態で設置するものであり、両側にブレード２０の幅を決定するように設置する案内ガイド７０ａ同士の間には、流速案内上部ガイド３０ａと流速案内下部ガイド４０ａを固定ボルト７３ａで両側から固定する。
【００４２】
前記流速案内上部ガイド３０ａの中央下側には、回転しながら水によって自然に展開されたり折り畳まれたりするブレード２０を外周部に一定の間隔で複数個設置したタービン１０を、タービン軸１１によって回転するように設置する。
【００４３】
前記タービン１０は、両側の固定ブッシング１５と一体型に固定され、案内ガイド７０の内部に回転可能に結合する。
【００４４】
前記流速案内下部ガイド４０ａの前方には、タービン１０に流入する引き潮の海水の量および流速を制御する調節ゲート５０ａを設置する。
【００４５】
前記流速案内上部ガイド３０ａは、下側が流線型になっているガイド上部案内部３１ａを形成して下側に海水の流れが正常になされるようにする。前記流速案内上部ガイドの下側前方には、流速案内部３２ａが流線型に形成され、前記流速案内部３２ａの左側先端には、タービン１０が回転してブレード２０が折り畳まれるように弧状にブレード案内部３３ａが形成された後、前記ブレード案内部３３ａの左側先端には、排水空間４５ａが形成されるように水平状態の上部排水部３４ａが形成される。
【００４６】
前記流速案内下部ガイド４０ａは、前方に調節ゲート５０ａがゲート回転軸５４ａで連結され、上側に海水が流入してブレード２０を回転させる発電案内部４１ａを弧状に形成し、前記発電案内部４１ａの左側先端には、排水空間４５ａが形成されるように水平状態の下部排水部４２ａを形成し、前記調節ゲート５０ａの左側先端から下側へ流線型のガイド下部案内部４３ａを形成して海水の流れが正常に行われるようにする。
【００４７】
前記上部排水部３４ａと下部排水部４２ａは、比較的長く形成して、海流の流れが十分になされるように排水空間４５ａを提供する。
【００４８】
前記調節ゲート５０ａは、ゲート軸５１ａが連結されるシリンダー軸５３ａが突出したゲート調節シリンダー５２ａをタービン軸１１に連結して調節ゲート５０ａの開閉角度を調節することにより、タービン１０へ供給される海水の量および流速を調節することができるようにする。
【００４９】
前記タービン軸１１には減速機または発電装置を連結することにより、タービン１０の回転力の提供を受けて発電が行われるようにする。
【００５０】
前記案内ガイド７０ａの左側先端である後方排水空間４５ａの先端には、排水空間４５ａを開閉させる開放ドア７１ａをドア軸７２ａで回転可能に設置することにより、流入する海水の流速で自然開放され、流速が発生しなければ閉じられるようにする。
【００５１】
図７は本発明のブレードがないタービンの正面図、図８は本発明のブレードが折り畳まれた状態の要部拡大正面図、図９は本発明のブレードが展開された状態の要部拡大正面図、図１０は本発明のタービンとブレードに対する結合状態の側面断面図、図１１は本発明のタービンとブレードに対する結合状態の斜視図である。
【００５２】
満ち潮発電装置１００と引き潮発電装置２００に設置するタービン１０は、円形からなり、一定の間隔でブレード２０が引っかかることなく一定の角度で折り畳まれるようにするブレード溝１２を形成し、前記ブレード溝１２の一側には、コーナー部分がラウンドになっている「Ｌ」状の剛性補強溝１３を形成する。
【００５３】
前記タービン１０に形成した剛性補強溝１３には、固定軸２１が貫通した後、ブレード２０が回転可能に結合するが、
前記タービン１０の両側に設置したタービンカバー１６に固定軸２１が結合して固定ブッシング１５で連結され、前記固定軸２１の外周部には遊動ブッシング２２が結合してブレード２０が回転するようにする。前記剛性補強溝１３は、ブレード２０が立ち上がる場合に補強部２３と後方および下側で一致する結合状態を提供するように形成する。
【００５４】
前記固定ブッシング１５と遊動ブッシング２２は小型の場合に適用する。前記固定ブッシング１５と遊動ブッシング２２の代わりに、固定軸２１にベアリングを使用することができる。
【００５５】
前記タービン１０は、ブレード２０が折り畳まれて回転移動するようにするためにブレード案内部３３、３３ａとの間隔は狭く、流入する海水によってブレード２０が展開されて発電が行われるようにするために発電案内部４１、４１ａとの間隔は広く形成されるように設置する。
【００５６】
前記ブレード２０は、補強部２３から垂直に突出してから先端では上方に流線型となるように延び、前記補強部２３ではラウンド状に延びた後、ブレード溝１２と一致するように垂直に突出し、前記ブレード溝１２の先端では下側に傾くように形成され、外側先端は折り畳まれた状態でブレード溝１２の外側に一部が突出し、流速によって回転して展開されるか或いはブレード案内部３３、３３ａにひっかかって折り畳まれるように設置する。
【００５７】
前記ブレード２０の幅、高さおよび大きさは、海水および設置位置の流速と発電量に応じて多様に調節することができる。
【００５８】
前記ブレード２０の展開される位置から海水の放出される位置にわたる発電案内部４１、４１ａが同じ間隔を維持し、ブレード２０の先端と発電案内部４１、４１ａとの間に一定の間隔を置く空隙を介して速度水頭を作って複数のブレード２０に同じ圧力を発生させるようにする。
【００５９】
図１２は本発明の満ち潮発電装置を浮標に適用した状態を示す正面図、図１３は本発明の引き潮発電装置を浮標に適用した状態を示す正面図、図１４は本発明の満ち潮と引き潮発電装置を浮標に適用した状態を示す側面図である。
【００６０】
満ち潮発電装置１００と引き潮発電装置２００は、案内ガイド７０、７０ａの下部連結具８４、８４ａ、上部連結具８３、８３ａおよびタービン軸１１に浮標連結棒８２、８２ａを連結し、前記浮標連結棒８２、８２ａが浮標連結具８１、８１ａで会うようにした後、前記浮標連結具８１、８１ａに浮標８０、８０ａを設置して海水での浮力を維持し、満ち潮発電装置１００と引き潮発電装置２００を海水に潜水させた状態で発電が行われるようにする。
【００６１】
図１５は本発明の満ち潮発電装置を海底に設置した状態を示す正面図、図１６は本発明の引き潮発電装置を海底に設置した状態を示す正面図、図１７は本発明の満ち潮発電装置を海底に設置した状態を示す他の実施形態の正面図である。
【００６２】
海水の底に、コンクリートからなる一定の幅、高さおよび長さのコンクリートベース６０を設置し、前記コンクリートベース６０に一定の間隔で高さ調節ガイド６１、６２を設置した後、高さ調節ガイド６１、６２の上側に、底から一定の高さを維持するように両側で下部連結軸３５、３５ａによって案内ガイド７０、７０ａを連結することにより、海水の満ち潮と引き潮を発電に活用することができるようにする。
【００６３】
他の実施形態として、前記案内ガイド７０は、コンクリートベース６０に下側の流速案内下部案内部３１が接触して固定される形態で海水の底に設置するが、高さ調節ガイド６１、６２に下部連結軸３５、３５ａによって高さが調節されるように連結することにより、底面から発生する海水の満ち潮を発電に活用し得るようにする。
【００６４】
このような構成からなる海水の満ち潮と引き潮を利用した水力発電装置は、満ち潮発電装置１００と引き潮発電装置２００を交互に設置するか連続して設置して、設置位置に応じて幅、大きさおよび設置個数を多様に調節することができる。
【００６５】
まず、満ち潮発電装置１００について説明する。案内ガイド７０同士の間に流速案内下部ガイド３０を設置し、前記流速案内下部ガイド３０のブレード案内部３３にはタービン１０をタービン軸１１で回転可能に設置し、前記案内ガイド７０同士の間には流速案内上部ガイド４０を設置する。
【００６６】
前記流速案内下部ガイド３０と流速案内上部ガイド４０は、設置高さを海水の位置に応じて多様に調節することができ、設置位置および幅に応じて直列に連続して複数個を設置することができ、設置位置も現場の状況に応じて多様に調節することができる。
【００６７】
本発明の発電装置を設置すると、速い速度で海水が流れ、潮の干満の差により満ち潮と引き潮が発生する海水は流速が発生することになり、流速による発電の効率が現れる場合には連続して設置することが可能である。よって、満ち潮と引き潮が発生するビーチや流速が速く発生する瀬などで、環境にやさしいエネルギーを活用した水力発電が可能である。
【００６８】
本発明は、海底に設置した状態で、流速案内下部ガイド３０の流速案内部３２による流線型の形状に沿って水がタービン１０の前方と上方に案内され、流速案内上部ガイド４０の前方に設置した調節ゲート５０によってタービン１０への供給水量を調節するように誘導および案内する。
【００６９】
前記調節ゲート５０の角度調節によって海水の流速および量を調節して、発電に必要な水の量を供給するので、高効率の発電が行われるのである。
【００７０】
前記流速案内部３２と調節ゲート５０の設置による水がタービン１０の前方上側に供給されると、流速に応じて、タービン１０の外周部に先端が露出するように設置したブレード２０が、ブレード溝１２に折り畳まれた状態から立ち上がる。
【００７１】
ブレード２０は、固定軸２１を介してブレード溝１２の内部に設置された状態でブッシング２２を介して回転可能に設置されているので、流速に応じて回転し、発電案内部４１の内部で立ち上がった状態を提供し、海水の流速と一緒にブレード２０を移動させる動力源が発生し、タービン１０を連続して回転させる回転動力源を提供する。
【００７２】
前記ブレード２０がブレード溝１２から立ち上がると、補強部２３と剛性補強溝１３とが、「Ｌ」状にコーナー部分がラウンドとなるように一致した状態を提供するので、補強部２３は、剛性補強溝１３の後方と底部などの２方向で一致した状態を提供することにより、ブレード２０に流速により提供される荷重が作用する場合でも安定して回転力を提供することができる剛性補強効果を提供する。
【００７３】
すなわち、ブレード２０の幅と高さは多様に適用することが可能であり、ブレードはタービン１０の外周部に固定軸２１で設置した状態でブッシング２２を介して回転可能に設置し、ブレード２０の幅を広くする場合には補強部２３の広い幅と剛性補強溝１３の広い幅で均一に分布する荷重が作用するので、ブレード２０とタービン１０に無理を与えることなく発電することができる。
【００７４】
さらに詳しくは、調節ゲート５０の角度を調節することにより海水の量を調節して、ブレード２０に加わる流速および圧力を調節することにより、タービン１０の角速度を高めて回転エネルギーを極大化させることで高効率の発電が行われるようにする。
【００７５】
前記ブレード２０とタービン１０は、材質による効率が様々に現れる現象が発生するが、比較的軽くて強い金属材質を使用することが好ましい。
【００７６】
前記ブレード２０は、発電案内部４１の弧状形態を通り過ぎながら展開されて流速でタービン１０の回転動力源を提供し、発電案内部４１を通り過ぎるとブレード案内部３３に到達しながら、ブレード２０の回転方向で一部分が引っかかって自然に折り畳まれてブレード溝１２に折り畳まれた状態でブレード案内部３３を通過し、動力が消耗しないようにタービン１０と一緒に回転する。
【００７７】
特に、水の流速とブレード２０の移動方向が一致してタービン１０を回転させることで、高効率を得て高効率の発電が行われるようにし、
タービン１０に設置するブレード１０の数および半径を調節して同じ流速で角速度を高めることで高効率の発電が行われるようにし、
ブレード１０の先端と発電案内部４１との間で一定の間隔による速度水頭を作り、発電案内部４１の内部で展開された状態で水圧を受けるブレード２０に同じ圧力を発生させ、前記ブレード２０の２〜５つが発電案内部４１で展開された状態で回転しながら、タービン軸１１に展開されたブレード２０の数に相応する回転力を発生させて高効率の発電が行われるようにする。
【００７８】
前記速度水頭についてさらに詳細に説明すると、前記発電案内部４１は、タービン１０の外周部から一定の間隔を有し、ブレード２０が展開された状態で移動しながら発電案内部４１とブレード２０の先端との間に一定の間隔を維持するので、速度水頭を作ってタービン１０に回転力を与え、発電案内部４１の内部空間で各ブレード２０に同じ流量と圧力を提供するので、一つのブレード２０に加わる流量と流速によって、発電案内部４１の内部に３つのブレード２０が展開された状態で回転する場合には従来に比べて３倍の強い回転力を提供して高効率の発電を提供する。
【００７９】
前記発電案内部４１を通過した海水は、下部排水部３４と上部排水部４２との間である排水空間４５を通過した後、流速が開放ドア７１に作用しながら、開放ドア７１はドア軸７２を中心に回転して開放されるので海水は抜け出し、下部排水部３４と上部排水部４２を比較的長く形成することで、ブレード２０を通過した水の流れ方向が屈曲した後にも一直線に流れるようにし、排水空間４５を抜け出す海水が外部の流速および水圧と同じかそれより大きくなるようにして外部へ容易に抜け出すようにする。
【００８０】
前記排水空間４５は、流速案内下部ガイド３０と流速案内上部ガイド４０の設置位置に応じて高さを調節することができるので、海水中に潜水するように設置したタービン１０が、海水中で最も速い流速および水圧を利用し得るようにして、効率を向上させることができる。
【００８１】
前記流速案内下部ガイド３０は、流速案内部３２を介して海水がタービン１０の方向に正常に供給されるように案内し、ガイド下部案内部３１は、下側に流れる海水の流速が影響されることなく正常に移動するように案内する。
【００８２】
前記流速案内上部ガイド４０は、ガイド上部案内部４３が海水に潜水した状態で上側に移動する満ち潮の流速が影響されることなく正常に移動するように案内し、調節ゲート５０は、タービン１０へ供給される海水の量および流速を調節して最適な発電状態を維持する。
【００８３】
前記開放ドア７１は、満ち潮の流速が発生しない場合、流速による開放状態を提供することができないので、自然に回転移動して排水空間４５を閉じて遮断し、引き潮が排水空間４５に流入することを防止する。
【００８４】
次に、引き潮発電装置２００について説明する。案内ガイド７０ａ同士の間に流速案内上部ガイド３０ａを設置し、前記流速案内上部ガイド３０ａのブレード案内部３３ａにはタービン１０をタービン軸１１で回転可能に設置し、前記案内ガイド７０ａ同士の間に流速案内下部ガイド４０ａを設置する。
【００８５】
引き潮発電装置２００を設置した状態で流速案内上部ガイド３０ａの流速案内部３２ａによる流線型の形状に沿って水がタービン１０の前方と上方に案内され、流速案内下部ガイド４０ａの前方に設置した調節ゲート５０ａによってタービン１０への供給水量を調節するように誘導および案内する。
【００８６】
前記調節ゲート５０ａの角度調節によって海水の流速および量を調節して、発電に必要な海水の量を供給するので、高効率の発電が行われるのである。
【００８７】
前記流速案内部３２ａと調節ゲート５０ａの設置により水がタービン１０の前方上側に供給されると、流速に応じて、タービン１０の外周部に先端が露出するように設置したブレード２０が、ブレード溝１２に折り畳まれた状態から立ち上がる。
【００８８】
ブレード２０は、固定軸２１を介してブレード溝１２の内部に設置された状態でブッシング２２を介して回転可能に設置されているので、流速に応じて回転し、発電案内部４１の内部で立ち上がった状態を提供し、海水の流速と一緒にブレード２０を移動させる動力源が発生し、タービン１０を連続して回転させる回転動力源を提供する。
【００８９】
前記ブレード２０がブレード溝１２から立ち上がると、補強部２３と剛性補強溝１３とが、「┛」状にコーナー部分がラウンドとなるように一致した状態を提供するので、補強部２３は、剛性補強溝１３の後方と底部などの２方向で一致した状態を提供することにより、ブレード２０に流速により提供される荷重が作用する場合でも安定して回転力を提供することができる剛性補強効果を提供する。
【００９０】
すなわち、ブレード２０の幅と高さは多様に適用することが可能であり、ブレードはタービン１０の外周部に固定軸２１で設置した状態でブッシング２２を介して回転可能に設置し、ブレード２０の幅を広くする場合には補強部２３の広い幅と剛性補強溝１３の広い幅で均一に分布する荷重が作用するので、ブレード２０とタービン１０に無理を与えることなく発電することができる。
【００９１】
さらに詳しくは、調節ゲート５０ａの角度を調節することにより海水の量を調節して、ブレード２０に加わる流速および圧力を調節することにより、タービン１０の角速度を高めて回転エネルギーを極大化させることで高効率の発電が行われるようにする。
【００９２】
前記ブレード２０とタービン１０は、材質による効率が様々に現れる現象が発生するが、比較的軽くて強い金属材質を使用することが好ましい。
【００９３】
前記ブレード２０は、発電案内部４１ａの弧状形態を通り過ぎながら展開されて流速でタービン１０の回転動力源を提供し、発電案内部４１ａを通り過ぎるとブレード案内部３３ａに到達し、ブレード２０の回転方向で一部分が引っかかって自然に折り畳まれてブレード溝１２に折り畳まれた状態でブレード案内部３３ａを通過し、動力が消耗しないようにタービン１０と一緒に回転する。
【００９４】
前記発電案内部４１ａを通過した海水は、上部排水部３４ａと下部排水部４２ａとの間である排水空間４５ａを通過した後、流速が開放ドア７１ａに作用しながら、開放ドア７１ａはドア軸７２ａを中心に回転して開放されるので海水は抜け出し、上部排水部３４ａと下部排水部４２ａを比較的長く形成することで、ブレード２０を通過した海水の流れ方向が屈曲した後にも一直線に流れるようにし、排水空間４５ａを抜け出す海水が外部の流速および水圧と同じかそれより大きくなるようにして外部へ容易に抜け出すようにする。
【００９５】
前記排水空間４５ａは、流速案内上部ガイド３０ａと流速案内下部ガイド４０ａの設置位置に応じて高さを調節することができるので、海水中に潜水するように設置したタービン１０が、海水中で最も速い流速および水圧を利用し得るようにして、効率を向上させることができる。
【００９６】
前記流速案内上部ガイド３０ａは、流速案内部３２ａを介して海水がタービン１０の方向に正常に供給されるように案内し、ガイド上部案内部３１ａは、上側に流れる海水の流速が影響されることなく正常に移動するように案内する。
【００９７】
前記流速案内下部ガイド４０ａは、ガイド下部案内部４３ａが海水に潜水した状態で下側に移動する引き潮の流速が影響されることなく正常に移動するように案内し、調節ゲート５０ａは、タービン１０へ供給される海水の量および流速を調節して最適な発電状態を維持する。
【００９８】
前記開放ドア７１ａは、排水空間４５ａに引き潮の流速が発生しない場合、流速による開放状態を提供することができず、開放ドア７１ａを開放させることが可能な力が除去されるので、排水空間４５ａを閉じて遮断し、満ち潮が排水空間４５ａに流入することを防止する。
【００９９】
前記タービン軸１１は、満ち潮発電装置１００で満ち潮の流速を利用した発電と、引き潮発電装置２００で引き潮の流速を利用した発電の際に、一方向に回転しながら連続的な発電が行われるようにする。
【０１００】
前記調節ゲート５０、５０ａは、タービン軸１１に設置したゲート調節シリンダー５２、５２ａが駆動されてシリンダー軸５３、５３ａを前進および後進させるにつれて、調節ゲート５０、５０ａのゲート軸５１、５１ａの位置を回転移動させることで、ゲート回転軸５４、５４ａを基準に回転移動する角度が制御され、上昇する場合には海水の流入量を増加させ、下降する場合には海水の流入量を減少させる方法で海水の流入量を制御することにより流速を制御して、タービン１０が最適な効率を出して発電し得るように調節する。
【０１０１】
前記タービン軸１１の一方の先端にはギアを設置することで、得られた発電動力を所望の場所へ供給し得るようにするか、発電装置を連結して電気を発電した後で所望の場所へ供給し得るようにする。
【０１０２】
一方、本発明は、図１２乃至図１４に示すように、浮標８０、８０ａの浮力を利用して浮標連結具８１、８１ａから浮標連結棒８２、８２ａを上部連結具８３、８３ａと下部連結具８４、８４ａに連結することにより、海水に満ち潮発電装置１００と引き潮発電装置２００が潜水した状態で満ち潮と引き潮の流速を利用して発電するのである。
【０１０３】
また、本発明は、図１５乃至図１７に示すように、海底にコンクリートベース６０を設置して一定の間隔で高さ調節ガイド６１、６２が突出するように設置した後、下部連結軸３５、３５ａに設置した案内ガイド７０、７０ａを介して満ち潮発電装置１００と引き潮発電装置２００を設置することにより、海水の満ち潮と引き潮の高さに応じた設置位置を決定することができるので、満ち潮と引き潮を利用しながら発電に必要な最適の流速および圧力を提供する。また、流速案内上、下部ガイド４０、４０ａの前方に設置する調節ゲート５０、５０ａは、ゲート調節シリンダー５２、５２ａとシリンダー軸５３、５３ａの制御に基づいて傾斜角度が調節されながらタービン１０への進入水量を調節することができる。よって、流速に応じて調節ゲート５０、５０ａの傾斜角度を調節して、流速の遅い場合には水の流入量を増やして流速および圧力を向上させることにより、発電に最適な流速および圧力を提供して高効率の発電が行われるようにする。
【０１０４】
そして、コンクリートベース６０に一致するように設置する場合、海底を流れる流速を利用して発電が行われるようにする。コンクリートベース６０の上部高さと、案内ガイド７０、７０ａの内部に設置した流速案内部３２の前方高さとが一致して、流速がそのままタービン１０に進入するようにする。流速案内上部ガイド４０の前方に設置する調節ゲート５０は、ゲート調節シリンダー５２とシリンダー軸５３の制御に基づいて傾斜角度が調節されながら、タービン１０への進入水量を調節することができる。よって、流速に応じて調節ゲート５０の傾斜角度を調節して、流速の遅い場合には水の流入量を増やして流速および圧力を向上させることで、発電に最適な流速および圧力を提供して高効率の発電が行われるようにする。
【０１０５】
以上、本発明の好適な実施形態によって提案された詳細は、記載された内容に限定されるものではなく、当該技術分野における通常の知識を有する者が多様に変形実施し得るのは当たり前のことであり、それらの変形実施もすべて特許法が定める類似技術の範囲を外れるものではないだろう。
【産業上の利用可能性】
【０１０６】
本発明は、流速の速い海水の満ち潮と引き潮を利用して発電が行われるようにし、調節ゲートによって海水の供給量および流速を調節して効果的な発電が行われるタービンを設置することにより、環境にやさしいエネルギーを活用した、満ち潮と引き潮の際に同一方向に持続的に回転することによって電力を効率よく生産することができるようにする非常に有用な発明を提供する。
【図１】
0006504512.tif 000002
【図２】
0006504512.tif 000003
【図３】
0006504512.tif 000004
【図４】
0006504512.tif 000005
【図５】
0006504512.tif 000006
【図６】
0006504512.tif 000007
【図７】
0006504512.tif 000008
【図８】
0006504512.tif 000009
【図９】
0006504512.tif 000010
【図１０】
0006504512.tif 000011
【図１１】
0006504512.tif 000012
【図１２】
0006504512.tif 000013
【図１３】
0006504512.tif 000014
【図１４】
0006504512.tif 000015
【図１５】
0006504512.tif 000016
【図１６】
0006504512.tif 000017
【図１７】
0006504512.tif 000018